【手続補正書】
【提出日】平成15年10月22日(2003.10.22)
【手続補正１】
【補正対象書類名】明細書
【補正対象項目名】特許請求の範囲
【補正方法】変更
【補正の内容】
【特許請求の範囲】
【請求項１】
蛍光物質から放射される蛍光を観察する蛍光内視鏡装置において、
被検査対象物に対して前記蛍光物質の励起波長を含む第１の波長帯域の光と可視光を含む第２の波長帯域の光を照射する光源手段と、
前記被検査対象物の可視光像と前記蛍光物質の蛍光像を撮像する撮像手段と、
前記被検査対象物と前記撮像手段との撮像光路上に挿入され、前記被検査対象物に対して照射された光が前記第１および第２の波長帯域の光のうちのいずれの光であるかに応じて、前記被検査対象物に対して前記光源手段により照射された光に基づく入射光を前記撮像光路上において制限する絞り手段と、
を有することを特徴とした蛍光内視鏡装置。
【請求項２】
前記絞り手段は、少なくとも可視光を透過する可視光透過部と、前記蛍光物質の蛍光の波長帯域の光を透過し可視光を透過しない可視光非透過部とを有することを特徴とした請求項１記載の蛍光内視鏡装置。
【請求項３】
前記可視光非透過部の透過領域は、前記可視光透過部の透過領域より大きいことを特徴とする請求項１記載の蛍光内視鏡装置。
【請求項４】
前記可視光非透過部は、前記可視光に対して開口量の小さい絞りとして作用することを特徴とする請求項２または請求項３に記載の蛍光内視鏡装置。
【請求項５】
前記光源手段は、前記被検査対象物に対して、前記第１の波長帯域の光と前記第２の波長帯域の光を選択的に照射可能であり、
更に、
前記第１の波長帯域の光と前記第２の波長帯域の光とを切り替える切り替え手段と、
前記切り替え手段による切り替えに応じて前記絞り手段を制御する制御手段を制御する制御手段と、
を有することを特徴とする請求項１記載の蛍光内視鏡装置。
【請求項６】
蛍光物質から放射される蛍光を観察する蛍光内視鏡装置において、
被検査対象物に対して前記蛍光物質の励起波長を含む第１の波長帯域の光と可視光を含む第２の波長帯域の光を照射する光源手段と、
前記被検査対象物の可視光像と前記蛍光物質の蛍光像を撮像する撮像手段と、
前記第１の波長帯域の光と前記第２の波長帯域の光とを切り替える切り替え手段と、
前記撮像手段により得られる撮像信号を積分する積分手段と、
前記切り替え手段による切り替えに応じて前記積分手段を制御する制御手段と、
を有することを特徴とする蛍光内視鏡装置。
【請求項７】
蛍光物質から放射される蛍光を観察する蛍光内視鏡装置において、
被検査対象物に対して前記蛍光物質の励起波長を含む第１の波長帯域の光と可視光を含む第２の波長帯域の光を照射する光源手段と、
前記被検査対象物の可視光像と前記蛍光物質の蛍光像を撮像する撮像手段と、
前記第１の波長帯域の光と前記第２の波長帯域の光とを切り替える切り替え手段と、
前記光源手段の光量を制御する光量制御手段と、
前記切り替え手段による切り替えに応じて前記光量制御手段を制御する制御手段と、
を有することを特徴とする蛍光内視鏡装置。
【請求項８】
蛍光物質から放射される蛍光を観察する蛍光内視鏡装置において、
被検査対象物に対して前記蛍光物質の励起波長を含む第１の波長帯域の光と可視光を含む第２の波長帯域の光を照射する光源手段と、
前記被検査対象物の可視光像と前記蛍光物質の蛍光像を撮像する撮像手段と、
前記第１の波長帯域の光と前記第２の波長帯域の光とを切り替える切り替え手段と、
前記撮像手段により得られる撮像信号を増幅する増幅手段と、
前記切り替え手段による切り替えに応じて前記増幅手段を制御する制御手段と、
を有することを特徴とする蛍光内視鏡装置。
【請求項９】
前記増幅手段は、前記撮像手段の撮像素子内部に設けられていることを特徴とする請求項８記載の蛍光内視鏡装置。
【請求項１０】
蛍光物質から放射される蛍光を観察する蛍光内視鏡装置において、
被検査対象物に対して前記蛍光物質の励起波長を含む第１の波長帯域の光と可視光を含む第２の波長帯域の光を照射する光源手段と、
前記被検査対象物の可視光像と前記蛍光物質の蛍光像を撮像する撮像手段と、
前記第１の波長帯域の光と前記第２の波長帯域の光とを切り替える切り替え手段と、
を有し、
前記光源手段は、前記被検査対象物に対して、間欠的に光を照射可能であり、
前記撮像手段は、前記光源手段から光が照射されているときの前記被検査対象物からの蛍光像と前記光源手段から光が照射されていないときの前記被検査対象物からの背景像を撮像し、
更に、
前記撮像手段により得られる蛍光像と背景像との差を算出する算出手段と、
を有することを特徴とする蛍光内視鏡装置。
【手続補正２】
【補正対象書類名】明細書
【補正対象項目名】０００９
【補正方法】変更
【補正の内容】
【０００９】
【課題を解決するための手段】
請求項１記載の発明は、蛍光物質から放射される蛍光を観察する蛍光内視鏡装置において、
被検査対象物に対して前記蛍光物質の励起波長を含む第１の波長帯域の光と可視光を含む第２の波長帯域の光を照射する光源手段と、
前記被検査対象物の可視光像と前記蛍光物質の蛍光像を撮像する撮像手段と、
前記被検査対象物と前記撮像手段との撮像光路上に挿入され、前記被検査対象物に対して照射された光が前記第１および第２の波長帯域の光のうちのいずれの光であるかに応じて、前記被検査対象物に対して前記光源手段により照射された光に基づく入射光を前記撮像光路上において制限する絞り手段と、
を有することを特徴とする。
請求項６記載の発明は、蛍光物質から放射される蛍光を観察する蛍光内視鏡装置において、
被検査対象物に対して前記蛍光物質の励起波長を含む第１の波長帯域の光と可視光を含む第２の波長帯域の光を照射する光源手段と、
前記被検査対象物の可視光像と前記蛍光物質の蛍光像を撮像する撮像手段と、
前記第１の波長帯域の光と前記第２の波長帯域の光とを切り替える切り替え手段と、
前記撮像手段により得られる撮像信号を積分する積分手段と、
前記切り替え手段による切り替えに応じて前記積分手段を制御する制御手段と、
を有することを特徴とする。
請求項７記載の発明は、蛍光物質から放射される蛍光を観察する蛍光内視鏡装置において、
被検査対象物に対して前記蛍光物質の励起波長を含む第１の波長帯域の光と可視光を含む第２の波長帯域の光を照射する光源手段と、
前記被検査対象物の可視光像と前記蛍光物質の蛍光像を撮像する撮像手段と、
前記第１の波長帯域の光と前記第２の波長帯域の光とを切り替える切り替え手段と、
前記光源手段の光量を制御する光量制御手段と、
前記切り替え手段による切り替えに応じて前記光量制御手段を制御する制御手段と、
を有することを特徴とする。
請求項８記載の発明は、蛍光物質から放射される蛍光を観察する蛍光内視鏡装置において、
被検査対象物に対して前記蛍光物質の励起波長を含む第１の波長帯域の光と可視光を含む第２の波長帯域の光を照射する光源手段と、
前記被検査対象物の可視光像と前記蛍光物質の蛍光像を撮像する撮像手段と、
前記第１の波長帯域の光と前記第２の波長帯域の光とを切り替える切り替え手段と、
前記撮像手段により得られる撮像信号を増幅する増幅手段と、
前記切り替え手段による切り替えに応じて前記増幅手段を制御する制御手段と、
を有することを特徴とする。
請求項１０記載の発明は、蛍光物質から放射される蛍光を観察する蛍光内視鏡装置において、
被検査対象物に対して前記蛍光物質の励起波長を含む第１の波長帯域の光と可視光を含む第２の波長帯域の光を照射する光源手段と、
前記被検査対象物の可視光像と前記蛍光物質の蛍光像を撮像する撮像手段と、
前記第１の波長帯域の光と前記第２の波長帯域の光とを切り替える切り替え手段と、
を有し、
前記光源手段は、前記被検査対象物に対して、間欠的に光を照射可能であり、
前記撮像手段は、前記光源手段から光が照射されているときの前記被検査対象物からの蛍光像と前記光源手段から光が照射されていないときの前記被検査対象物からの背景像を撮像し、
更に、
前記撮像手段により得られる蛍光像と背景像との差を算出する算出手段と、
を有することを特徴とする。